(57)【要約】【課題】流動媒体の性状変化を防止しつつ、流動媒体を移動させる。【解決手段】流動層システムは、第１流動層室と、第１流動層室とポンプ室２４２の上流室２４４ａとを連通する第１連通管２３０と、第１連通管を通じて第１流動層室から投入された流動媒体の流動層が形成されるポンプ室と、上流室２４４ａと下流室２４４ｂとにポンプ室内を区画し、ポンプ排出口２４２ｂより下方で上流室と下流室とを連通させる仕切板２４６と、上流室の空塔速度が１．０Ｕｍｆ以上１．２Ｕｍｆ以下となる流量である第１流量で上流室に流動化ガスを供給し、上流室の空塔速度より大きい所定の空塔速度となる流量である第２流量で下流室に流動化ガスを供給するガス供給部２４８と、ポンプ室の下流室と第２流動層室とを連通する第２連通管２５０と、第２連通管を通じて下流室から投入された流動媒体の流動層が形成される第２流動層室と、を備える。【選択図】図２
2018103066.tif 000002
【特許請求の範囲】
【請求項１】
流動媒体の流動層が形成される第１流動層室と、
前記第１流動層室に設けられた第１排出口に一端が接続された第１連通管と、
前記第１連通管の他端が接続されたポンプ投入口と、ポンプ排出口とを有するポンプ室と、
前記ポンプ投入口が設けられた上流室と、前記ポンプ排出口が設けられた下流室とに前記ポンプ室内を区画し、該ポンプ排出口より下方で該上流室と該下流室とを連通させる仕切板と、
前記上流室の空塔速度が１．０Ｕｍｆ以上１．２Ｕｍｆ以下となる流量である第１流量で該上流室に流動化ガスを供給し、前記下流室の空塔速度が、該上流室の空塔速度より大きい所定の空塔速度となる流量である第２流量で該下流室に該流動化ガスを供給するガス供給部と、
前記ポンプ室の前記ポンプ排出口に一端が接続された第２連通管と、
前記第２連通管の他端が接続された第２投入口を有する第２流動層室と、
を備えた流動層システム。
【請求項２】
前記上流室における流動層の層高は、前記仕切板の下端より高い請求項１に記載の流動層システム。
【請求項３】
前記仕切板は、前記下流室の水平断面積が下部から前記ポンプ排出口に向かうに従って漸減するように前記ポンプ室内に設けられる請求項１または２に記載の流動層システム。
【請求項４】
前記ポンプ排出口は、前記下流室の天井に設けられる請求項１から３のいずれか１項に記載の流動層システム。
【発明の詳細な説明】
【技術分野】
【０００１】
本開示は、流動媒体の流動層が形成される第１流動層室から第２流動層室へ流動媒体を移動させる流動層システムに関する。
【背景技術】
【０００２】
粒子状の固形物が収容された流動層室の下方から上方に向けてガスを噴出させることで形成される流動層を用いた流動層システムは、固形物の乾燥、燃焼、ガス化、造粒等様々な分野で利用されている。このような流動層システムでは、流動層の条件（温度、雰囲気等）の変更、設置面積（設置体積）の制限、制御の容易性の確保等のために、複数の流動層室を備えているものもある。
【０００３】
複数の流動層室を備えた流動層システムにおいて、第１流動層室から第２流動層室へ固形物（流動媒体）を移動させる技術として、第１流動層室から流動媒体を取り出した後コンベアで第２流動層室に移動させる技術（例えば、特許文献１）が開発されている。
【先行技術文献】
【特許文献】
【０００４】
【特許文献１】特開２００２−０９５９５２号公報
【発明の概要】
【発明が解決しようとする課題】
【０００５】
しかし、上記特許文献１に記載されたようなコンベアを用いた技術では、移動過程において流動媒体が空気に曝される。このため、流動媒体が、酸素や水等の空気中の物質と反応したり、空気中の物質を吸着したりする場合、移動過程で流動媒体の性状が変化してしまうという問題がある。
【０００６】
本開示は、このような課題に鑑み、流動媒体の性状変化を防止しつつ、流動媒体を移動させることが可能な流動層システムを提供することを目的としている。
【課題を解決するための手段】
【０００７】
上記課題を解決するために、本開示の一態様に係る流動層システムは、流動媒体の流動層が形成される第１流動層室と、前記第１流動層室に設けられた第１排出口に一端が接続された第１連通管と、前記第１連通管の他端が接続されたポンプ投入口と、ポンプ排出口とを有するポンプ室と、前記ポンプ投入口が設けられた上流室と、前記ポンプ排出口が設けられた下流室とに前記ポンプ室内を区画し、該ポンプ排出口より下方で該上流室と該下流室とを連通させる仕切板と、前記上流室の空塔速度が１．０Ｕｍｆ以上１．２Ｕｍｆ以下となる流量である第１流量で該上流室に流動化ガスを供給し、前記下流室の空塔速度が、該上流室の空塔速度より大きい所定の空塔速度となる流量である第２流量で該下流室に該流動化ガスを供給するガス供給部と、前記ポンプ室の前記ポンプ排出口に一端が接続された第２連通管と、前記第２連通管の他端が接続された第２投入口を有する第２流動層室と、を備える。
【０００８】
また、前記上流室における流動層の層高は、前記仕切板の下端より高いとしてもよい。
【０００９】
また、前記仕切板は、前記下流室の水平断面積が下部から前記ポンプ排出口に向かうに従って漸減するように前記ポンプ室内に設けられてもよい。
【００１０】
また、前記ポンプ排出口は、前記下流室の天井に設けられてもよい。
【発明の効果】
【００１１】
流動媒体の性状変化を防止しつつ、流動媒体を移動させることが可能となる。
【図面の簡単な説明】
【００１２】
【図１】流動層システムを説明する図である。
【図２】ポンプユニットを説明する図である。
【発明を実施するための形態】
【００１３】
以下に添付図面を参照しながら、本開示の一実施形態について詳細に説明する。かかる実施形態に示す寸法、材料、その他具体的な数値等は、理解を容易とするための例示にすぎず、特に断る場合を除き、本開示を限定するものではない。なお、本明細書および図面において、実質的に同一の機能、構成を有する要素については、同一の符号を付することにより重複説明を省略し、また本開示に直接関係のない要素は図示を省略する。
【００１４】
（流動層システム１００）
図１は、流動層システム１００を説明する図である。本実施形態では、流動層システム１００が、流動媒体として褐炭を乾燥させる構成を例に挙げて説明する。図１中、ガスの流れを実線の矢印で示し、流動媒体の流れを一点鎖線の矢印で示し、信号の流れを破線の矢印で示す。図１に示すように、流動層システム１００は、導入部１１０と、水分センサ１２０と、第１流動層部２１０と、第２流動層部２２０と、第１連通管２３０と、ポンプユニット２４０と、第２連通管２５０と、中央制御部２６０とを含んで構成される。
【００１５】
（導入部１１０、水分センサ１２０）
導入部１１０は、コンベア１１２と、ホッパ１１４と、導入管１１６と、導入バルブ１１８とを含んで構成される。コンベア１１２は、褐炭の供給源からホッパ１１４に褐炭を搬送する。ホッパ１１４は、コンベア１１２によって搬送された褐炭を一時的に貯留する。導入管１１６は、ホッパ１１４と第１流動層部２１０（第１流動層室２１２の第１投入口２１２ａ）とを連通する配管である。導入バルブ１１８は、導入管１１６に設けられ、導入管１１６の開度を調整する。
【００１６】
水分センサ１２０は、導入部１１０によって第１流動層部２１０に導入される褐炭の水分量を測定する。なお、水分センサ１２０として、例えば、近赤外吸収方式、マイクロ波吸収方式等の水分センサを採用することができる。
【００１７】
（第１流動層部２１０）
第１流動層部２１０は、第１流動層室２１２と、第１流動化ガス供給部２１４と、第１伝熱部２１６とを含んで構成される。
【００１８】
第１流動層室２１２は、第１流動層室２１２を構成する側壁に第１投入口２１２ａ、および、第１排出口２１２ｂが設けられた容器である。第１投入口２１２ａには、導入管１１６が接続されており、第１投入口２１２ａを通じて第１流動層室２１２に褐炭が導入される。そして、第１流動層室２１２は、導入された褐炭を収容する。また、第１流動層室２１２の天井には、第１流動層室２１２内のガスを外部に排出するガス排出管２１２ｃが接続される。
【００１９】
第１流動化ガス供給部２１４は、第１流動層室２１２の底面から第１流動化ガス（例えば、水蒸気）を供給する。具体的に説明すると、第１流動化ガス供給部２１４は、風箱２１４ａと、第１流動管２１４ｂと、第１ブロワ２１４ｃとを含んで構成される。風箱２１４ａは、第１流動層室２１２の下方に設けられ、風箱２１４ａの上部は、第１流動層室２１２の底面としても機能し、通気可能である分散板２１４ｄで形成されている。分散板２１４ｄは、例えば、褐炭の粒径よりも小さい径の開孔が複数設けられた板や、ノズルを設置した板で構成される。
【００２０】
第１流動管２１４ｂは、風箱２１４ａに接続される。また、第１流動管２１４ｂには、第１流動化ガスを送り込む第１ブロワ２１４ｃが設けられている。したがって、流動層システム１００を運転する際には、風箱２１４ａを通じて第１流動層室２１２の底面から当該第１流動層室２１２内に第１流動化ガスが供給されることとなる。
【００２１】
こうして、第１流動化ガス供給部２１４によって第１流動層室２１２内に第１流動化ガスが供給される。第１流動化ガスは、第１流動層室２１２内で褐炭を流動させて、褐炭の流動層を形成する。また、第１流動化ガス供給部２１４は、第１流動化ガスを褐炭と接触させることで、流動化による褐炭と第１伝熱部２１６との伝熱の促進によって、褐炭に含まれる水の一部を蒸発させる。
【００２２】
第１伝熱部２１６は、例えば、熱媒体が流通する配管で構成され、第１流動層室２１２内に配される。第１伝熱部２１６は、熱媒体の流通過程において、熱媒体が有する熱で褐炭を加熱する。第１伝熱部２１６を備える構成により、第１流動層室２１２内において、熱媒体と、第１流動化ガスとの間で熱交換が行われ、上方に移動する第１流動化ガスをさらに加熱することができる。したがって、第１流動化ガスによる褐炭の乾燥がより促進されることとなる。
【００２３】
このように、第１流動層部２１０では、第１流動層室２１２内に未乾燥の褐炭が導入され、第１流動化ガス供給部２１４および第１伝熱部２１６によって褐炭が加熱され、褐炭から水の一部が蒸発されて除去される。一方、褐炭の流れについて説明すると、後述する中央制御部２６０による制御に応じて、第１排出口２１２ｂ、第１連通管２３０、ポンプユニット２４０、第２連通管２５０を通じ、第１流動層室２１２内から第２流動層室２２２内へ褐炭が移動することとなる。第１連通管２３０、ポンプユニット２４０、第２連通管２５０を通じた褐炭の移動については後に詳述する。
【００２４】
（第２流動層部２２０）
第２流動層部２２０は、第２流動層室２２２と、第２流動化ガス供給部２２４と、第２伝熱部２２６とを含んで構成される。
【００２５】
第２流動層室２２２は、第２流動層室２２２を構成する側壁に第２投入口２２２ａ、および、第２排出口２２２ｂが設けられた容器である。第２投入口２２２ａには、第２連通管２５０が接続されており、第１排出口２１２ｂ、第１連通管２３０、ポンプユニット２４０、第２連通管２５０、第２投入口２２２ａを通じて、第１流動層室２１２から第２流動層室２２２に褐炭が導入される。そして、第２流動層室２２２は、導入された褐炭を収容する。また、第２流動層室２２２の天井には、第２流動層室２２２内のガスを外部に排出するガス排出管２２２ｃが接続される。
【００２６】
第２流動化ガス供給部２２４は、第２流動層室２２２の底面から第２流動化ガス（例えば、水蒸気）を供給する。具体的に説明すると、第２流動化ガス供給部２２４は、第１流動化ガス供給部２１４と同様に、風箱２２４ａと、第２流動管２２４ｂと、第２ブロワ２２４ｃとを含んで構成される。風箱２２４ａは、第２流動層室２２２の下方に設けられ、風箱２２４ａの上部は、第２流動層室２２２の底面としても機能し、通気可能である分散板２２４ｄで形成されている。分散板２２４ｄは、例えば、褐炭の粒径よりも小さい径の開孔が複数設けられた板や、ノズルを設置した板で構成される。
【００２７】
第２流動管２２４ｂは、風箱２２４ａに接続される。また、第２流動管２２４ｂには、第２流動化ガスを送り込む第２ブロワ２２４ｃが設けられている。したがって、流動層システム１００を運転する際には、風箱２２４ａを通じて第２流動層室２２２の底面から当該第２流動層室２２２内に第２流動化ガスが供給されることとなる。
【００２８】
こうして、第２流動化ガス供給部２２４によって第２流動層室２２２内に第２流動化ガスが供給される。第２流動化ガスは、第２流動層室２２２内で褐炭を流動させて、褐炭の流動層を形成する。また、第２流動化ガス供給部２２４は、第２流動化ガスを褐炭と接触させることで褐炭に含まれる水の一部を蒸発させる。
【００２９】
第２伝熱部２２６は、例えば、熱媒体が流通する配管で構成され、第２流動層室２２２内に配される。第２伝熱部２２６は、熱媒体の流通過程において、熱媒体が有する熱で褐炭を加熱する。第２伝熱部２２６を備える構成により、第２流動層室２２２内において、熱媒体と、第２流動化ガスとの間で熱交換が行われ、上方に移動する第２流動化ガスをさらに加熱することができる。したがって、第２流動化ガスによる褐炭の乾燥がより促進されることとなる。
【００３０】
オーバーフロー部２２８は、第２排出口２２２ｂに接続されたオーバーフロー管２２８ａと、オーバーフロー管２２８ａに設けられたオーバーフローバルブ２２８ｂとを含んで構成される。オーバーフロー部２２８は、第２流動層室２２２の第２排出口２２２ｂからオーバーフローした褐炭を外部に送出する。具体的に説明すると、第１連通管２３０、ポンプユニット２４０、第２連通管２５０を通じて、第１流動層部２１０（第１流動層室２１２内）から第２流動層室２２２内に褐炭が導入されると、導入された褐炭の体積分、流動層の体積が増加する。そうすると、褐炭（流動層）が第２排出口２２２ｂからオーバーフローして、オーバーフロー管２２８ａを通じて外部に送出されることとなる。
【００３１】
（第１連通管２３０、ポンプユニット２４０、第２連通管２５０）
第１連通管２３０は、一端が第１排出口２１２ｂに接続され、他端がポンプユニット２４０を構成する後述するポンプ室２４２のポンプ投入口２４２ａに接続される配管である。なお、本実施形態において、ポンプ投入口２４２ａは、第１排出口２１２ｂより下方に設けられている。したがって、第１連通管２３０は一端（第１排出口２１２ｂ側）から他端（ポンプ投入口２４２ａ側）に向かって鉛直下方に傾斜して配される。このため、第１流動層室２１２から第１連通管２３０に導入された褐炭は自重でポンプ投入口２４２ａに移動する。
【００３２】
図２は、ポンプユニット２４０を説明する図である。図２中、ガスの流れを実線の矢印で示し、流動媒体の流れを一点鎖線の矢印で示す。図２に示すように、ポンプユニット２４０は、ポンプ室２４２と、仕切板２４６と、ガス供給部２４８とを含んで構成される。
【００３３】
ポンプ室２４２は、ポンプ室２４２を構成する側壁２４２ｃにポンプ投入口２４２ａが設けられ、ポンプ室２４２を構成する天井２４２ｄにポンプ排出口２４２ｂが設けられた容器である。上記したように、ポンプ投入口２４２ａには、第１連通管２３０が接続されており、第１連通管２３０を通じて、第１流動層室２１２からポンプ室２４２に褐炭が導入される。そして、ポンプ室２４２は、褐炭を収容する。
【００３４】
仕切板２４６は、ポンプ投入口２４２ａが設けられた上流室２４４ａと、ポンプ排出口２４２ｂが設けられた下流室２４４ｂとにポンプ室２４２内を区画し、ポンプ排出口２４２ｂより下方で上流室２４４ａと下流室２４４ｂとを連通させる。本実施形態において、仕切板２４６は、ポンプ室２４２の天井２４２ｄからポンプ室２４２内に延在する。つまり、仕切板２４６の先端（下端）は、ポンプ室２４２の底面から離隔している。なお、本実施形態においてポンプ排出口２４２ｂは、下流室２４４ｂの天井に形成されている。
【００３５】
ガス供給部２４８は、上流室２４４ａの底面から流動化ガス（例えば、水蒸気）を供給し、下流室２４４ｂの底面から流動化ガス（例えば、水蒸気）を供給する。
【００３６】
具体的に説明すると、ガス供給部２４８は、風箱２４８ａ、２４８ｂと、流動ガス管２４８ｃ、２４８ｄと、ブロワ２４８ｅ、２４８ｆとを含んで構成される。風箱２４８ａは、上流室２４４ａの下方に設けられ、風箱２４８ａの上部は、上流室２４４ａの底面としても機能し、通気可能である分散板２４８ｇで形成されている。風箱２４８ｂは、下流室２４４ｂの下方に設けられ、風箱２４８ｂの上部は、下流室２４４ｂの底面としても機能し、通気可能である分散板２４８ｈで形成されている。分散板２４８ｇ、２４８ｈは、例えば、褐炭の粒径よりも小さい径の開孔が複数設けられた板や、ノズルを設置した板で構成される。本実施形態において、風箱２４８ａと、風箱２４８ｂとは隣接しており、風箱２４８ａと、風箱２４８ｂとの境界が、仕切板２４６の下端の鉛直下方（例えば、真下）に位置するように、風箱２４８ａ、２４８ｂが配される。
【００３７】
流動ガス管２４８ｃは、風箱２４８ａに接続される。流動ガス管２４８ｃには、流動化ガスを送り込むブロワ２４８ｅが設けられている。また、流動ガス管２４８ｄは、風箱２４８ｂに接続される。流動ガス管２４８ｄには、流動化ガスを送り込むブロワ２４８ｆが設けられている。
【００３８】
ブロワ２４８ｅ、２４８ｆは、後述する中央制御部２６０によって制御される。ブロワ２４８ｅは、上流室２４４ａの空塔速度が１．０Ｕｍｆ以上１．２Ｕｍｆ以下となる流量である第１流量で上流室２４４ａ（風箱２４８ａ）に流動化ガスを供給する。ここで、Ｕｍｆは、流動化開始速度（最小流動化速度）である。１．０Ｕｍｆ未満であると、流動媒体が流動せず、固定層となり、１．０Ｕｍｆ以上であると、流動媒体が流動を開始し、流動層となる。また、上流室２４４ａの空塔速度が１．２Ｕｍｆを上回ると、第１連通管２３０に逆流する流動化ガスの量が増加してしまう。したがって、ブロワ２４８ｅが第１流量で流動化ガスを供給することにより、第１連通管２３０への流動化ガスの逆流を抑制しつつ、上流室２４４ａに褐炭の流動層を形成することができる。なお、上流室２４４ａに形成される流動層の層高は、仕切板２４６の下端より高い。
【００３９】
ブロワ２４８ｆは、下流室２４４ｂの空塔速度が、上流室２４４ａの空塔速度より大きい所定の空塔速度となる流量である第２流量で下流室２４４ｂ（風箱２４８ｂ）に流動化ガスを供給する。下流室２４４ｂの空塔速度は、下流室２４４ｂに形成される流動層の最大層高が、後述する屈曲部２５２の位置（高さ）に到達する流量より大きい空塔速度である。なお、脈動する流動層の高さ（層高）のうち、最小となる層高を最小層高と言い、最大となる層高を最大層高と言う。また、平均層高は、脈動する層高の時間的な平均値である。また、上記上流室２４４ａの空塔速度、下流室２４４ｂの空塔速度は、仕切板２４６の下端の位置の空塔速度である。
【００４０】
上記したように、仕切板２４６は、ポンプ室２４２内の下部を連通させた状態で、ポンプ室２４２の天井２４２ｄからポンプ室２４２内に延在している。つまり、上流室２４４ａと下流室２４４ｂとは、下部で連通されている。したがって、上流室２４４ａ内に形成された流動層（褐炭）は、下流室２４４ｂに移動する。
【００４１】
また、下流室２４４ｂに流動化ガスを供給するブロワ２４８ｆは、下流室２４４ｂに第２流量で流動化ガスを供給する。そうすると、下流室２４４ｂにおいて、上流室２４４ａから移動された褐炭は、ポンプ排出口２４２ｂに到達し、ポンプ排出口２４２ｂを通じて第２連通管２５０に移動する。
【００４２】
なお、本実施形態において、仕切板２４６は、下流室２４４ｂの水平断面積が下部からポンプ排出口２４２ｂ（天井２４２ｄ）に向かうに従って漸減するようにポンプ室２４２内に設けられる。したがって、下流室２４４ｂの下部からポンプ排出口２４２ｂ（上部）に向かうに従って、流動層中の気泡の量を多くすることができる。これにより、褐炭を、より高い位置に到達させることが可能となる。したがって、下流室２４４ｂの下部から上部に向かって褐炭の移動をスムーズに行うことが可能となる。
【００４３】
図１に戻って説明すると、第２連通管２５０は、一端がポンプ室２４２のポンプ排出口２４２ｂに接続され、他端が第２投入口２２２ａに接続される配管である。なお、本実施形態において、ポンプ排出口２４２ｂは、第２投入口２２２ａより下方に設けられている。また、第２連通管２５０は、一端と他端との間に屈曲部２５２を有している。第２連通管２５０は、屈曲部２５２が一端および他端よりも上方に位置するように配される。
【００４４】
（中央制御部２６０）
中央制御部２６０は、ＣＰＵ（中央処理装置）を含む半導体集積回路で構成され、ＲＯＭからＣＰＵ自体を動作させるためのプログラムやパラメータ等を読み出し、ワークエリアとしてのＲＡＭや他の電子回路と協働して、流動層システム１００全体を管理および制御する。本実施形態において中央制御部２６０は、導入制御部２６２として機能する。
【００４５】
具体的に説明すると、導入制御部２６２は、水分センサ１２０の測定値に基づいて、第２流動層室２２２のオーバーフロー部２２８から送出される褐炭が目標値まで乾燥されるように、第１流動層室２１２内および第２流動層室２２２内における褐炭の滞留時間を導出する。例えば、水分センサ１２０の測定値が相対的に大きい場合、すなわち、未乾燥の褐炭の含水率が高い場合には滞留時間は長くなり、水分センサ１２０の測定値が相対的に小さい場合、すなわち、未乾燥の褐炭の含水率が低い場合、滞留時間は短くなる。
【００４６】
そして、導入制御部２６２は、導出した滞留時間と、第１流動層室２１２内において形成される流動層の平均層高と、第２流動層室２２２内において形成される流動層の平均層高とに基づいて、コンベア１１２の搬送速度、導入バルブ１１８、オーバーフローバルブ２２８ｂの開度を制御する。本実施形態において、導入制御部２６２は、第１流動層室２１２内において形成される流動層の平均層高が第１排出口２１２ｂの高さ（位置）と実質的に等しくなるように、また、第２流動層室２２２内において形成される流動層の平均層高が第２排出口２２２ｂの高さ（位置）と実質的に等しくなるように、コンベア１１２の搬送速度、導入バルブ１１８、オーバーフローバルブ２２８ｂの開度を制御する。
【００４７】
以上説明したように、本実施形態にかかる流動層システム１００によれば、第１流動層室２１２と第２流動層室２２２との間を、第１連通管２３０、ポンプユニット２４０、第２連通管２５０で接続し、ガス供給部２４８が、第１流量で上流室２４４ａに流動化ガスを供給し、第２流量で下流室２４４ｂに流動化ガスを供給する。これにより、褐炭を第１流動層室２１２から第２流動層室２２２に移動させることができる。このため、コンベアを用いて流動層室間を移動させる従来技術と異なり、移動過程において褐炭が空気に曝されてしまう事態を回避することが可能となる。したがって、褐炭が、空気中の物質と反応したり、空気中の物質を吸着したりすることを防止することができる。つまり、流動層室間の移動過程での褐炭の性状の変化を回避することが可能となる。
【００４８】
また、乾燥された高温状態の褐炭は、空気中の酸素と反応して燃焼する懸念がある。このため、コンベアを用いて流動層室間を移動させる従来技術では、コンベアといった駆動部を備えた装置を密封構造にしたり、消火設備を備えたり等する必要があり、コストが高くなってしまうという問題があった。しかし、本実施形態の流動層システム１００では、外部から区画された第１連通管２３０、ポンプユニット２４０、第２連通管２５０を褐炭が移動するという簡易な機構であるため、駆動部を備えた装置の密封構造や消火設備が不要となる。したがって、コストを低減することが可能となる。
【００４９】
以上、添付図面を参照しながら実施形態について説明したが、本開示はかかる実施形態に限定されないことは言うまでもない。当業者であれば、特許請求の範囲に記載された範疇において、各種の変更例または修正例に想到し得ることは明らかであり、それらについても当然に技術的範囲に属するものと了解される。
【００５０】
例えば、上記実施形態において、流動媒体として褐炭を例に挙げて説明した。しかし、粒子状の固形物であれば、流動媒体の種類に限定はない。
【００５１】
また、上記実施形態において、ポンプ排出口２４２ｂが、ポンプ室２４２の天井２４２ｄに設けられる構成を例に挙げて説明した。したがって、下流室２４４ｂ内にフリーボード部が形成されないため、下流室２４４ｂ（ポンプ室２４２）を小型化することができる。しかし、ポンプ排出口２４２ｂは、ポンプ室２４２の下部より上方に配されれば、位置に限定はない。
【００５２】
また、上記実施形態において、仕切板２４６が、下流室２４４ｂの水平断面積が下部からポンプ排出口２４２ｂに向かうに従って漸減するようにポンプ室２４２内に設けられる場合を例に挙げて説明した。しかし、仕切板２４６は、下流室２４４ｂの水平断面積が実質的に等しくなるように設けられてもよい。また、仕切板２４６は、下流室２４４ｂの水平断面積が下部からポンプ排出口２４２ｂに向かうに従って漸増するようにポンプ室２４２内に設けられてもよい。
【００５３】
また、第１流動層部２１０と、第２流動層部２２０とを同一の構成（モジュール化）としてもよい。これにより、第１流動層部２１０、第２流動層部２２０の製造コストを低減することができる。また、第１流動層室２１２、第２流動層室２２２には、内部のガスを排出する排出口が設けられていてもよい。
【００５４】
また、第１伝熱部２１６、第２伝熱部２２６は、必須の構成ではない。
【産業上の利用可能性】
【００５５】
本開示は、流動媒体の流動層が形成される第１流動層室から第２流動層室へ流動媒体を移動させる流動層システムに利用することができる。
【符号の説明】
【００５６】
１００  流動層システム
２１２  第１流動層室
２１２ｂ  第１排出口
２２２  第２流動層室
２２２ａ  第２投入口
２３０  第１連通管
２４２  ポンプ室
２４２ａ  ポンプ投入口
２４２ｂ  ポンプ排出口
２４２ｄ  天井
２４４ａ  上流室
２４４ｂ  下流室
２４６  仕切板
２４８  ガス供給部
２５０  第２連通管
【図１】
2018103066.tif 000003
【図２】
2018103066.tif 000004